(57)【要約】【課題】変電機器を構成するシーケンス回路における異常を簡易な構成で検出できる異常検出装置を提供すること。【解決手段】制御部６０は、接点２１がＯＮになってからの一定期間内に接点２１，２２，２３，２４，２５（接続線Ｌ１〜Ｌ５）を介して直流電源装置２から電圧が供給される場合には、ＬＥＤ３１，３２，３３，３４，３５それぞれを点灯させることにより、ＬＥＤ３１，３２，３３，３４，３５それぞれに対応する接点２１，２２，２３，２４，２５それぞれの動作が正常であることを検出する。一方、制御部６０は、一定期間内に接点２１，２２，２３，２４，２５を介して直流電源装置２から電圧が供給されない場合には、ＬＥＤ３１，３２，３３，３４，３５それぞれを消灯させることにより、ＬＥＤ３１，３２，３３，３４，３５それぞれに対応する接点２１，２２，２３，２４，２５それぞれの動作が異常であることを検出する。【選択図】図１
2011232221.tif 000002
【特許請求の範囲】
【請求項１】
複数の接点を有し、外部電源と接続されるシーケンス回路を有する変電機器における異常を検出する異常検出装置であって、
前記複数の接点それぞれに対応して設けられ、前記外部電源及び前記複数の接点と接続される複数の第１発光素子と、
一定期間内に前記複数の接点を介して前記外部電源から電圧が供給されるか否かを判定する制御部とを備え、
前記制御部は、
前記一定期間内に前記複数の接点を介して前記外部電源から電圧が供給される場合には、前記複数の第１発光素子それぞれを点灯させることにより、前記複数の第１発光素子それぞれに対応する複数の接点それぞれの動作が正常であることを検出し、
前記一定期間内に前記複数の接点を介して前記外部電源から電圧が供給されない場合には、前記複数の第１発光素子それぞれを消灯させることにより、前記複数の第１発光素子それぞれに対応する複数の接点それぞれの動作が異常であることを検出することを特徴とする異常検出装置。
【請求項２】
前記複数の接点による直前の動作に応じた前記複数の第１発光素子の点灯又は消灯を記憶する記憶部と、
前記複数の第１発光素子それぞれに対応して設けられる複数の第２発光素子とを備え、
前記制御部は、
前記記憶部に記憶される前記複数の第１発光素子の点灯又は消灯に応じて、前記複数の第２発光素子を点灯又は消灯させることを特徴とする請求項１に記載の異常検出装置。
【発明の詳細な説明】
【技術分野】
【０００１】
本発明は、シーケンス回路における異常を検出する異常検出装置に関する。
【背景技術】
【０００２】
従来より、変電所で用いられる遮断器や、断路器等のシーケンス回路を有する変電機器は、シーケンス回路における接触不良によって故障が発生する場合がある。この場合、故障の調査時には、接触不良が再現せずに、故障の原因が特定できないことがあった。
【０００３】
このような故障を調査するために、メモリーレコーダー等の記録装置を、シーケンス回路を有する変電機器に接続することが考えられる。特に、上述の変電機器は、動作する頻度が少ないため、故障の調査期間が１年以上に及ぶことが考えられる。しかし、記録装置は高額であり、記録装置を故障の疑いのある変電機器に対して長期間屋外に設置することは、実質上不可能である。
【０００４】
また、シーケンス回路における故障の原因を調査する技術も提案されている（例えば、特許文献１参照）。特許文献１に記載の異常検出装置は、電気機器に関連する複数のリレー接点の診断マトリックスを予め作成し、それらリレー接点の開閉による電気機器のシーケンス制御中に動作機器が運転停止した時、診断マトリックスに基づいて、電気機器の異常レベルを判定する。
【先行技術文献】
【特許文献】
【０００５】
【特許文献１】特開平７−２８１７３５号公報
【発明の概要】
【発明が解決しようとする課題】
【０００６】
上述したように記録装置を設置して故障の調査を行うことは、実質上不可能である。また、特許文献１に記載の異常検出装置は、上述した制御を行うために、表示装置や、外部記憶装置を有するコンピュータ等が必要となり、構成が大型化してしまう。このように変電機器を構成するシーケンス回路における異常を簡易な構成で検出することが望まれていた。
【０００７】
本発明は、変電機器を構成するシーケンス回路における異常を簡易な構成で検出できる異常検出装置を提供することを目的とする。
【課題を解決するための手段】
【０００８】
本発明の異常検出装置は、複数の接点を有し、外部電源と接続されるシーケンス回路を有する変電機器における異常を検出する異常検出装置であって、前記複数の接点それぞれに対応して設けられ、前記外部電源及び前記複数の接点と接続される複数の第１発光素子と、一定期間内に前記複数の接点を介して前記外部電源から電圧が供給されるか否かを判定する制御部とを備え、前記制御部は、前記一定期間内に前記複数の接点を介して前記外部電源から電圧が供給される場合には、前記複数の第１発光素子それぞれを点灯させることにより、前記複数の第１発光素子それぞれに対応する複数の接点それぞれの動作が正常であることを検出し、前記一定期間内に前記複数の接点を介して前記外部電源から電圧が供給されない場合には、前記複数の第１発光素子それぞれを消灯させることにより、前記複数の第１発光素子それぞれに対応する複数の接点それぞれの動作が異常であることを検出することを特徴とする。
【０００９】
この発明によれば、異常検出装置は、簡易な構成により、複数の接点それぞれの動作が正常であるか異常であるかを検出することができる。また、異常検出装置により変電機器の故障を調査する調査者は、複数の第１発光素子それぞれの点灯又は消灯によって複数の接点それぞれの動作が正常であるか異常であるかを明確に識別することができる。
【００１０】
また、前記異常検出装置は、前記複数の接点による直前の動作に応じた前記複数の第１発光素子の点灯又は消灯を記憶する記憶部と、前記複数の第１発光素子それぞれに対応して設けられる複数の第２発光素子を備え、前記制御部は、前記記憶部に記憶される前記複数の第１発光素子の点灯又は消灯に応じて、前記複数の第２発光素子を点灯又は消灯させることが好ましい。
【００１１】
この発明によれば、異常検出装置は、直前の動作に応じて点灯又は消灯する複数の第２発光素子を設けたため、故障を調査する際に、複数の接点それぞれによる直前の動作と比較することができる。したがって、異常検出装置により変電機器の故障を調査する調査者は、複数の接点それぞれの動作が正常であるか異常であるかをより明確に識別することができる。
【発明の効果】
【００１２】
本発明によれば、変電機器を構成するシーケンス回路における異常を簡易な構成で検出できる異常検出装置を提供することができる。
【図面の簡単な説明】
【００１３】
【図１】本発明の一実施形態に係る変電機器１及び直流電源装置２の構成を示す回路図である。
【図２】異常検出装置４の構成を示す概略図である。
【図３】本発明の異常検出装置を変電機器１ａに適用した場合の一例を示す図である。
【発明を実施するための形態】
【００１４】
以下、本発明の実施形態について図面を参照しながら説明する。
図１は、本発明の一実施形態に係る変電機器１及び直流電源装置２の構成を示す回路図である。図１に示すように、変電機器１は、例えば、断路器や、遮断器により構成される。変電機器１は、シーケンス回路３を備える。
【００１５】
直流電源装置２は、外部電源としての直流電源Ｖ１及び直流電源Ｖ２と、直流電源Ｖ１と直流電源Ｖ２との間に接続されるグランド（ＧＮＤ）とを備える。直流電源Ｖ１及び直流電源Ｖ２それぞれの電圧は、例えば、５０Ｖである。
シーケンス回路３は、接点２１，２２，２３，２４，２５と、リレー回路２６と、駆動モーター２７と、グランドＥとを備える。
【００１６】
接点２１の一端側は、直流電源装置２の正極側（Ｐ側）と接続され、他端側は、接点２２と接続される。
接点２１は、例えば、押しボタンスイッチで構成される。そして、接点２１は、押下されている間だけＯＮされた状態となる。これにより、異常検出装置４は、起動し、後述するＬＥＤ３１が点灯する。
【００１７】
つまり、押しボタンスイッチである接点２１を押した際に、接点２２，２３，２４に対応した条件が成立しており、かつ、それらの接点の接触に異常が無い場合に、直流電源装置２の正極側（Ｐ側）、リレー回路２６及び直流電源装置２の負極側（Ｎ側）までが導通された状態となり、リレー回路２６は、ＯＮされた状態となる。
【００１８】
接点２２，２３，２４及びリレー回路２６は、接点２１と直列に接続される。
すなわち、接点２２の一端側は、接点２１と接続され、接点２２の他端側は、接点２３と接続される。
接点２３の一端側は、接点２２と接続され、接点２３の他端側は、接点２４と接続される。
接点２４の一端側は、接点２３と接続され、接点２４の他端側は、リレー回路２６と接続される。
リレー回路２６の一端側は、接点２４と接続され、他端側は、直流電源装置２の負極側（Ｎ側）と接続される。
【００１９】
接点２２，２３，２４は、上述したように、接点２１がＯＮされると、接点２２，２３，２４に対応した条件が成立しており、かつ、それらの接点の接触に異常が無い場合に、ＯＮとなる。
リレー回路２６は、接点２２，２３，２４全てがＯＮとなると、直流電源装置２から電力が供給されてＯＮされた状態となる。
【００２０】
また、接点２５の一端側は、直流電源装置２の正極側（Ｐ側）と接続され、他端側は、駆動モーター２７と接続される。駆動モーター２７の一端側は、接点２５と接続され、他端側は、直流電源装置２の負極側（Ｎ側）と接続される。
接点２５は、リレー回路２６の動作に従って、ＯＮとなる。そして、接点２５がＯＮとなると、駆動モーター２７に電力が供給されて、駆動モーター２７は、駆動する。
【００２１】
図２は、異常検出装置４の構成を示す概略図である。
図２に示すように、異常検出装置４は、第１発光素子としてのＬＥＤ３１，３２，３３，３４，３５と、第２発光素子としてのＬＥＤ４１，４２，４３，４４，４５と、報知用ＬＥＤ５１，５２と、接続線ＬＰ，ＬＥ，Ｌ１，Ｌ２，Ｌ３，Ｌ４，Ｌ５と、制御部６０と、記憶部６１と、リセットボタン６２とを備える。
【００２２】
ＬＥＤ３１，３２，３３，３４，３５それぞれは、シーケンス回路３に接続される素子であり、例えば、接点２１，２２，２３，２４，２５の近傍の回路に接続される。また、ＬＥＤ３１，３２，３３，３４，３５は、制御部６０と接続される。
【００２３】
すなわち、ＬＥＤ３１の一端側は、接続線Ｌ１を介して接点２１と接点２２との間（図１中の位置Ａ１）と接続され、他端側は、異常検出装置４を構成する回路（図示せず）と接続される。
ＬＥＤ３２の一端側は、接続線Ｌ２を介して接点２２と接点２３との間（図１中の位置Ａ２）と接続され、他端側は、異常検出装置４を構成する回路と接続される。
ＬＥＤ３３の一端側は、接続線Ｌ３を介して接点２３と接点２４との間（図１中の位置Ａ３）と接続され、他端側は、異常検出装置４を構成する回路と接続される。
ＬＥＤ３４の一端側は、接続線Ｌ４を介して接点２４とリレー回路２６との間（図１中の位置Ａ４）と接続され、他端側は、異常検出装置４を構成する回路と接続される。
また、ＬＥＤ３５の一端側は、接続線Ｌ５を介して接点２５と駆動モーター２７との間（図１中の位置Ａ５）と接続され、他端側は、異常検出装置４を構成する回路と接続される。
【００２４】
ＬＥＤ４１，４２，４３，４４，４５それぞれは、ＬＥＤ３１，３２，３３，３４，３５それぞれに対応して設けられる。
具体的には、ＬＥＤ４１，４２，４３，４４，４５は、制御部６０と接続され、制御部６０の制御に従って点灯又は消灯する。
【００２５】
制御部６０は、主に記憶部６１、ＬＥＤ３１，３２，３３，３４，３５及びＬＥＤ４１，４２，４３，４４，４５を制御する。
具体的には、制御部６０は、シーケンス回路３における動作がリセットされる前のＬＥＤ３１，３２，３３，３４，３５の点灯又は消灯を記憶部６１に記憶させる。
【００２６】
そして、制御部６０は、シーケンス回路３における動作がリセットされると、記憶部６１を参照して、リセットされる前のＬＥＤ３１，３２，３３，３４，３５の点灯又は消灯された状態を、ＬＥＤ４１，４２，４３，４４，４５に反映させる。
【００２７】
例えば、シーケンス回路３における動作がリセットされる前において、ＬＥＤ３１，３２，３３が点灯し、ＬＥＤ３４，３５が消灯していた場合には、シーケンス回路３における動作がリセットされると、制御部６０は、記憶部６１を参照して、ＬＥＤ４１，４２，４３を点灯させ、ＬＥＤ４４，４５を消灯させる。
【００２８】
報知用ＬＥＤ５１は、接続線ＬＰ，ＬＥがシーケンス回路３に接続され、リセットボタン６２が押下されると、点灯する。これにより、異常検出装置４は、スタンバイ状態となる。つまり、報知用ＬＥＤ５１は、異常検出装置４が動作可能か否かを報知する。
リセットボタン６２は、制御部６０に接続され、異常検出装置４の状態をリセットする。
【００２９】
接続線Ｌ１，Ｌ２，Ｌ３，Ｌ４，Ｌ５，ＬＰ，ＬＥは、シーケンス回路３（位置Ａ１，Ａ２，Ａ３，Ａ４，Ａ５）と接続される側の端部がワニ口クリップとなっており、シーケンス回路３（位置Ａ１，Ａ２，Ａ３，Ａ４，Ａ５）と接続及び離反が可能となっている。なお、異常検出装置４をシーケンス回路の構成が比較的単純な機器に適用する場合には、接続線Ｌ１，Ｌ２，Ｌ３，Ｌ４，Ｌ５全てを用いる必要はなく、例えば、接続線Ｌ１，Ｌ２，Ｌ３のみを用いてもよい。
【００３０】
接続線ＬＰは、一端側が直流電源装置２の正極側（Ｐ側）と接続され、他端側が異常検出装置４を構成する回路と接続される。
接続線ＬＥは、一端側がグランドＥと接続され、他端側が異常検出装置４を構成する回路（図示せず）と接続される。
すなわち、異常検出装置４は、直流電源装置２の正極側（Ｐ側）及びグランドＥ間の電圧（例えば、５０Ｖ）によって動作する。
【００３１】
次に、本実施形態に係る異常検出装置４の動作について説明する。なお、接続線Ｌ１，Ｌ２，Ｌ３，Ｌ４，Ｌ５，ＬＰ，ＬＥは、全てがシーケンス回路３に接続されているものとする。
【００３２】
まず、上述したように、接点２１がＯＮになり、異常検出装置４が起動すると、ＬＥＤ３１が点灯する。そして、異常検出装置４が起動した後、制御部６０は、一定時間（例えば、３０秒）内に位置Ａ２，Ａ３，Ａ４，Ａ５（接続線Ｌ２，Ｌ３，Ｌ４，Ｌ５）において電圧が検出されるか否かを判定し、一定時間内に電圧が検出されないと判定した場合、電圧の検出を打ち切る。なお、一般的に、変電機器の動作時間は、長くても１０秒程度である。このため、３０秒程度で電圧が検出されない場合、異常検出装置４は、異常であると判断することができる。
【００３３】
そして、制御部６０は、一定時間内に電圧が検出されると、ＬＥＤ３２，３３，３４，３５を点灯させる。
一方、制御部６０は、一定時間内に電圧が検出されないと、電圧が検出されない位置のＬＥＤを消灯させる。
これにより、異常検出装置４が起動してから一定時間内に位置Ａ１，Ａ２，Ａ３，Ａ４，Ａ５（接続線Ｌ１，Ｌ２，Ｌ３，Ｌ４，Ｌ５）において電圧が検出されたか否かがＬＥＤ３１，３２，３３，３４，３５に表示されることとなる。
【００３４】
例えば、シーケンス回路３の動作が正常である場合、すなわち、接点２１，２２，２３，２４，２５の動作が正常である場合には、接点２１がＯＮになり、かつ接点２２，２３，２４，２５に対応した条件が成立し、これらの接点の接触に異常が無ければ、接点２１，２２，２３，２４，２５を介して直流電源装置２から電圧が供給されることにより、ＬＥＤ３１，３２，３３，３４，３５が全て点灯する。
【００３５】
これにより、異常検出装置４により変電機器１の故障を調査する調査者は、接点２１，２２，２３，２４，２５の動作が正常であることがわかる。
【００３６】
一方、例えば、接点２４の動作が異常である場合には、接点２１がＯＮになり、かつ接点２２，２３に対応した条件が成立していれば、接点２２，２３もＯＮであるが、接点２４は、ＯＮしない（又は接点２４は、接触不良）。
このため、接続線Ｌ１，Ｌ２，Ｌ３には、接点２１，２２，２３を介して直流電源装置２から電圧が供給されることにより、ＬＥＤ３１，３２，３３が点灯する。
しかし、接点２４が異常のため接続線Ｌ４には電圧が供給されず、リレー回路２６も動作しないため、接点２５も動作せず、接続線Ｌ５にも電圧は供給されない。
そのためＬＥＤ３４，３５は、消灯したままとなる。
【００３７】
これにより、異常検出装置４により変電機器１の故障を調査する調査者は、接点２１，２２，２３は正常に動作しており、接点２４の動作が異常であることがわかる。
そして、制御部６０は、接点２１，２２，２３，２４，２５の動作の正常、異常にかかわらず、ＬＥＤ３１，３２，３３，３４，３５の点灯又は消灯を記憶部６１に記憶させる。
【００３８】
次に、ＬＥＤ３１，３２，３３，３４，３５が点灯又は消灯した後に、再度、接点２１がＯＮされて、接続線Ｌ１に電圧が供給されると、異常検出装置４は、再度起動する。そして、制御部６０は、記憶部６１を参照して、前回のＬＥＤ３１，３２，３３，３４，３５の点灯又は消灯された状態を反映させて、ＬＥＤ４１，４２，４３，４４，４５を点灯又は消灯させる。
【００３９】
例えば、前回、ＬＥＤ３１，３２，３３が点灯し、ＬＥＤ３４，３５が消灯していた場合には、制御部６０は、ＬＥＤ４１，４２，４３を点灯させ、ＬＥＤ４４，４５を消灯させる。
【００４０】
そして、上述した場合と同様に、接点２１，２２，２３，２４，２５の動作が正常である場合には、接点２１がＯＮされて、接続線Ｌ１に電圧が供給されると、接点２２，２３，２４，２５がＯＮされて、ＬＥＤ３１，３２，３３，３４，３５が全て点灯する。
【００４１】
さらに、異常検出装置４が再起動を繰り返せば、ＬＥＤ３１，３２，３３，３４，３５が点灯又は消灯すると共に、直前のＬＥＤ３１，３２，３３，３４，３５が点灯又は消灯された状態を反映させて、ＬＥＤ４１，４２，４３，４４，４５が点灯又は消灯する。
【００４２】
すなわち、異常検出装置４において２回目の検出が終了した時点では、異常検出装置４は、２回目の検出結果をＬＥＤ３１，３２，３３，３４，３５に表示し、１回目（前回）の検出結果をＬＥＤ４１，４２，４３，４４，４５に表示する。
【００４３】
さらに、再度（３回目）、接点２１がＯＮになり、異常検出装置４が起動した場合には、異常検出装置４は、ＬＥＤ４１，４２，４３，４４，４５に表示されていた１回目の検出結果を消去する。そして、異常検出装置４は、３回目の検出結果をＬＥＤ３１，３２，３３，３４，３５に表示し、２回目の検出結果をＬＥＤ４１，４２，４３，４４，４５に表示する。
【００４４】
＜適用例＞
図３は、本発明に係る異常検出装置４を、シーケンス回路を有する変電機器１ａに適用した場合の一例を示す図である。詳細には、図３（ａ）は、異常検出装置４を変電機器１ａに適用した回路図であり、図３（ｂ）は、変電機器１ａにおける接点の状態を示す図である。
【００４５】
図３（ａ）に示すように、位置Ｂ１、位置Ｂ２及び位置Ｂ３にそれぞれ、接続線Ｌ１、Ｌ２及びＬ３を接続した。
【００４６】
図３（ａ）に示すシーケンス回路は、位置Ｂ１に対応する接点がＯＮとなった際に（図３（ｂ）のＢ１における「入」指令）、位置Ｂ２に対応する条件が成立しておれば（図３（ｂ）のＢ２における「ＯＮ」）、位置Ｂ３に対応する接点がＯＮ（図３（ｂ）のＢ３における「ＯＮ」）となる。
【００４７】
このようなシーケンス回路を有する変電機器１ａに異常が発生した場合に、異常検出装置４を変電機器１ａに適用して異常を検出した。
その結果、図３（ｂ）に示すように、位置Ｂ１及び位置Ｂ２に対応する接点は動作が正常であるため、ＬＥＤ３１及びＬＥＤ３２が点灯する。
一方、位置Ｂ３に対応する接点は、動作が異常であるため、ＬＥＤ３３が消灯する。
【００４８】
これにより、異常検出装置４により変電機器１ａの故障を調査する調査者は、位置Ｂ１及び位置Ｂ２に対応する接点は正常に動作しており、位置Ｂ３に対応する接点の動作が異常であることがわかる。
【００４９】
以上説明したように、本実施形態に係る異常検出装置４によれば、以下の効果を奏することができる。
異常検出装置４は、接点２１，２２，２３，２４，２５を有し、直流電源装置２と接続されるシーケンス回路３と、接点２１，２２，２３，２４，２５それぞれに対応して設けられ、直流電源装置２及び接点２１，２２，２３，２４，２５と接続されるＬＥＤ３１，３２，３３，３４，３５と、接点２１がＯＮになってからの一定期間内に接点２１，２２，２３，２４，２５を介して直流電源装置２から電圧が供給されるか否かを判定する制御部６０と、を備える。
【００５０】
そして、制御部６０は、接点２１がＯＮになってからの一定期間内に接点２１，２２，２３，２４，２５（接続線Ｌ１〜Ｌ５）を介して直流電源装置２から電圧が供給される場合には、ＬＥＤ３１，３２，３３，３４，３５それぞれを点灯させることにより、ＬＥＤ３１，３２，３３，３４，３５それぞれに対応する接点２１，２２，２３，２４，２５それぞれの動作が正常であることを検出する。
【００５１】
一方、制御部６０は、接点２１がＯＮになってからの一定期間内に接点２１，２２，２３，２４，２５（接続線Ｌ１〜Ｌ５）を介して直流電源装置２から電圧が供給されない場合には、ＬＥＤ３１，３２，３３，３４，３５それぞれを消灯させることにより、ＬＥＤ３１，３２，３３，３４，３５それぞれに対応する接点２１，２２，２３，２４，２５それぞれの動作が異常であることを検出する。
【００５２】
これにより、異常検出装置４は、簡易な構成により、接点２１，２２，２３，２４，２５の動作が正常であるか異常であるかを検出することができる。また、異常検出装置４により変電機器１の故障を調査する調査者は、ＬＥＤ３１，３２，３３，３４，３５それぞれの点灯又は消灯によって接点２１，２２，２３，２４，２５の動作が正常であるか異常であるかを明確に識別することができる。
【００５３】
また、異常検出装置４は、接点２１，２２，２３，２４，２５による直前の動作に応じたＬＥＤ３１，３２，３３，３４，３５の点灯又は消灯を記憶する記憶部６１と、ＬＥＤ３１，３２，３３，３４，３５それぞれに対応して設けられるＬＥＤ４１，４２，４３，４４，４５と、を備える。そして、制御部６０は、記憶部６１に記憶されるＬＥＤ３１，３２，３３，３４，３５の点灯又は消灯に応じて、ＬＥＤ４１，４２，４３，４４，４５を点灯又は消灯させる。
【００５４】
これにより、異常検出装置４は、直前の動作に応じて点灯又は消灯するＬＥＤ４１，４２，４３，４４，４５を設けたため、故障を調査する際に、接点２１，２２，２３，２４，２５による直前の動作と比較することができる。したがって、異常検出装置４により変電機器１の故障を調査する調査者は、接点２１，２２，２３，２４，２５の動作が正常であるか異常であるかをより明確に識別することができる。
【００５５】
さらに、異常検出装置４は、複数回の故障の調査結果を、ＬＥＤ３１，３２，３３，３４，３５及びＬＥＤ４１，４２，４３，４４，４５により表示するため、異常検出装置４により変電機器１の故障を調査する調査者は、故障が１回しか再現しなかった場合でも確実に故障を発見することができる。
【００５６】
以上、本発明の一実施形態について説明したが、本発明は前述した実施形態に制限されるものではなく、適宜変更が可能である。
【００５７】
また、本発明の実施形態に記載された効果は、本発明から生じる最も好適な効果を列挙したに過ぎず、本発明による効果は、本発明の実施形態に記載されたものに限定されるものではない。
【符号の説明】
【００５８】
１  変電機器
２  直流電源装置
３  シーケンス回路
４  異常検出装置
２１，２２，２３，２４，２５  接点
３１，３２，３３，３４，３５，４１，４２，４３，４４，４５  ＬＥＤ
【図１】
2011232221.tif 000003
【図２】
2011232221.tif 000004
【図３】
2011232221.tif 000005